(57)【特許請求の範囲】
【請求項１】
掘削用の先端のケーシングを含むケーシングを把持することができる上下方向に駆動可能で回転駆動可能な第１のケーシング把持手段とこの第１のケーシング把持手段で把持したケーシングを把持することができる第２のケーシング把持手段とを備えたオールケーシング掘削機によりケーシングを順次建て込むオールケーシング工法を利用して、鉄を構造材に使用した既設構造物を回収するオールケーシング工法の既設構造物回収方法であって、ケーシングを第１のケーシング把持手段で把持して回転させながら下降させることにより既設構造物における鉄の構造材の周りを先端のケーシングで環状に掘削して順次ケーシングを建て込む第１の工程と、第１の工程終了後に最上方のケーシングを撤去して既設構造物を第１のケーシング把持手段で把持し、この第１のケーシング把持手段を駆動して既設構造物を根切りする第２の工程と、この根切りした既設構造物を第１のケーシング把持手段で把持して上昇させる動作を第２のケーシング把持手段と協働して繰り返すことによりその既設構造物を所定長さ引き上げる第３の工程と、この引き上げた既設構造物の地上側の部分を切断して分離する第４の工程と、この分離した既設構造物の地上側の部分をクレーンで吊り上げて搬出する第５の工程とを経て既設構造物を回収するようにしたことを特徴とするオールケーシング工法の既設構造物回収方法。
【請求項２】
請求項１記載のオールケーシング工法の既設構造物回収方法の実施に使用され、掘削用の先端のケーシングを含む複数のケーシングとその先端のケーシングに掘削力を付与するオールケーシング掘削機とをセットにして構成されるオールケーシング工法の既設構造物回収装置であって、ケーシングを把持することができる上下方向に駆動可能で回転駆動可能な第１のケーシング把持手段とこの第１のケーシング把持手段で把持したケーシングを把持することができる第２のケーシング把持手段とを設けてオールケーシング掘削機を構成するとともに、第１のケーシング把持手段に着脱可能に取り付けることができ第１のケーシング把持手段に取り付けて作動させることにより既設構造物を把持することができる第１の既設構造物把持手段と第２のケーシング把持手段に着脱可能に取り付けることができ第２のケーシング把持手段に取り付けて作動させることにより既設構造物を把持することができる第２の既設構造物把持手段とをアタッチメントととして付設したことを特徴とするオールケーシング工法の既設構造物回収装置。
【請求項３】
第１の工程でケーシングを建て込む場合、ケーシング周面とその周辺部との間の摩擦抵抗を低減することができる滑材を先端のケーシングの周辺に注入するようにしたことを特徴とする請求項１記載のオールケーシング工法の既設構造物回収方法。
【請求項４】
第１の工程終了後に最上方のケーシングを撤去して既設構造物を第１のケーシング把持手段で把持する場合、第１のケーシング把持手段で把持可能な筒状体を既設構造物の上端部に取り付けることにより連結して、既設構造物を筒状体を介して把持できるようにしたことを特徴とする請求項１記載のオールケーシング工法の既設構造物回収方法。
【請求項５】
第３の工程で既設構造物を所定長さ引き上げる前に、既設構造物の引き上げに要する力を低減することができる泥水をケーシング内に注入するようにしたことを特徴とする請求項１記載のオールケーシング工法の既設構造物回収方法。
【請求項６】
第４の工程で引き上げた既設構造物の地上側の部分を切断して分離する場合、ダイヤモンドワイヤソーで切断するようにしたことを特徴とする請求項１記載のオールケーシング工法の既設構造物回収方法。
【請求項７】
第４の工程で引き上げた既設構造物の地上側の部分を切断して分離する場合、硬質微粒子を混入した高圧ジェットで切断する装置であるアブレシブジェットで切断するようにしたことを特徴とする請求項１記載のオールケーシング工法の既設構造物回収方法。
【請求項８】
掘削用の先端のケーシングに、ケーシング周面とその周辺部との間の摩擦抵抗を低減できる滑材を注入することができる注入パイプを設けるようにしたことを特徴とする請求項２記載のオールケーシング工法の既設構造物回収装置。
【請求項９】
掘削用の先端のケーシングに、掘削外径をケーシングの外径よりも大径にするようにオーバカットするための掘削ビットと掘削内径をケーシングの内径よりも小径にするようにオーバカットするための掘削ビットとを設けるようにしたことを特徴とする請求項２又は請求項８記載のオールケーシング工法の既設構造物回収装置。
【請求項１０】
掘削用の先端のケーシングに、その掘削部で掘削した掘削土を吸引して排出することができる排土パイプを設けるようにしたことを特徴とする請求項２、請求項８又は請求項９記載のオールケーシング工法の既設構造物回収装置。
【請求項１１】
既設構造物の上端部に取り付け可能な取付部が設けられ第１のケーシング把持手段で把持可能な外径を有する筒状体をアタッチメントとして備え付けたことを特徴とする請求項２記載のオールケーシング工法の既設構造物回収装置。
【請求項１２】
第１のケーシング把持手段として、複数のバンド部材とシリンダとを有し複数のバンド部材をシリンダの駆動によりケーシングに押し当ててケーシングを把持することができる上下方向に駆動可能で回転駆動可能なメインバンドを設け、第２のケーシング把持手段として、複数のバンド部材とシリンダとを有し複数のバンド部材をシリンダの駆動によりケーシングに押し当ててケーシングを把持することができるサブバンドを設けるとともに、第１の既設構造物把持手段及び第２の既設構造物把持手段として、それぞれ、メインバンド及びサブバンドに取り付けてシリンダを駆動することにより既設構造物に押し当てて既設構造物を把持することができるメインバンド用の既設構造物把持手段及びサブバンド用の既設構造物把持手段をアタッチメントととして付設したこと特徴とする請求項２記載のオールケーシング工法の既設構造物回収装置。
【請求項１３】
既設構造物が鉄を構造材に使用したコンクリート製の地中構造物であり、メインバンド用の既設構造物把持手段及びサブバンド用の既設構造物把持手段のうちの少なくともメインバンド用の既設構造物把持手段に、既設構造物を把持した際に既設構造物に食い込ませるための突起を設けたことを特徴とする請求項１２記載のオールケーシング工法の既設構造物回収装置。
【請求項１４】
メインバンド用の既設構造物把持手段及びサブバンド用の既設構造物把持手段の少なくとも一方に、既設構造物との間の上下方向の相対的な運動により既設構造物に付着した泥を掻き落すことができる泥除去手段を設けたことを特徴とする請求項１２記載のオールケーシング工法の既設構造物回収装置。
【発明の詳細な説明】
【０００１】
【発明の属する技術分野】
本発明の技術分野は、場所打ち杭のような鉄筋コンクリート製の杭、鋼管杭等の既設杭や地下連続壁のような鉄を構造材に使用した地中に残置する既設構造物をオールケーシング工法の技術を利用して回収し撤去する既設杭の撤去技術の技術分野に属する。
【０００２】
【従来の技術】
都市再開発等において、旧建造物を解体してその跡地に新たな建造物を構築する場合、特に市街地では、旧建造物に使用されていた既設の杭や地下連続壁等の既設構造物の撤去が重大な問題となる。跡地に新たな建造物を構築する場合には、新設の杭や地下連続壁等を施工するが、その跡地にこうした既設構造物が残置していると、これらの施工の妨げになるため、通常、邪魔な既設構造物を事前に調査して撤去する。また、土地を返却するため更地にする場合にも、地中に残置している既設構造物を撤去する必要がある。その代表的なものである既設杭についてみると、既設杭には、木杭、場所打ち杭、鋼管杭等各種の杭があるが、既設杭が特に場所打ち杭や鋼管杭のような鉄を構造材に使用した杭の場合には、その鉄の構造材が容易に切断できないため、従来、その撤去には多大の負担を要した。本発明は、こうした鉄を構造材に使用した既設杭や地下連続壁等の地中に残置した既設地中構造物を、オールケーシング工法の技術を併用して効率的に回収し、撤去するようにしたものである。このオールケーシング工法は、場所打ち杭等を打設するための立て穴を形成するために、下端部に掘削ビットを設けた掘削用の先端ケーシングをオールケーシング掘削機により地中に押し込むとともに、これに適当数の継ぎケーシングを継ぎ足してゆき、これにより穴壁の崩壊を防止しながら、これらのケーシング内の土砂をハンマーグラブで掘削して地上に搬出し、立て穴の掘削を進める工法である。
【０００３】
オールケーシング工法は、こうした工法であるから、これを用いて例えば鉄筋コンクリート製の既設杭を回収する場合、既設杭を包囲するようにケーシングを建て込んで、その既設杭をハンマーグラブで掘削して排出することとなる。そこで、こうした方法で従来実施されていたオールケーシング工法の既設杭回収方法を図４に基づいて説明する。図４は、従来のオールケーシング工法の既設杭回収方法についての作業手順を示す作業手順図である。図において、１は鉄筋コンクリート製の既設杭、２はこの既設杭１の外周部に縦方向に埋設された縦筋をなす鉄筋、４は掘削用の先端のケーシングを含む鋼管製のケーシング、６はこうしたケーシング４を把持することができ上下方向に駆動可能で回転駆動可能なオールケーシング掘削機の一部をなすメインバンド、１０はケーシング４における先端のケーシングの先端部に設けた掘削ビット、１１は地中に建て込まれたケーシング４内の土砂を掘削して地上に搬出するための前述したハンマーグラブ、１３ａはメインバンド６に取り付けてケーシング４を的確に把持できるようにするためのメインバンド用のスペーサである。
【０００４】
ケーシング４は、先端部に掘削ビット１０を設けた地山掘削用の先端のケーシングと、これに継ぎ足される適当数の継ぎケーシングとからなり、先端のケーシングに継ぎ足される継ぎケーシングの数を調節することにより、地中に建て込むケーシング４の全長を調節することができる。メインバンド６は、隣接端部を回動可能に枢着して連結した複数のバンド部材と、連結したこれらのバンド部材の非連結側の両端部に回動可能に枢着してその両端部を連結する油圧駆動のシリンダとでリング状に形成されている。したがって、シリンダを縮めるように駆動すると、複数のバンド部材が締め付けられてケーシング４に押し当てられ、ケーシング４を把持することができる。また、メインバンド６は、図示していないオールケーシング掘削機の駆動装置で上昇下降させることができ、かつ、回転駆動することができる。オールケーシング掘削機には種々のタイプのものがあるが、この例で使用されているオールケーシング掘削機は、メインバンド６とこのメインバンド６をこのように上下方向に駆動したり回転駆動したりする駆動装置とで構成されている。ハンマーグラブ１１は、図示していないクレーンで地上に引き上げたり地中に降下させたりすることができるようになっている。スペーサ１３ａは、メインバンド６の複数のバンド部材の各内周部に取り付けられる複数のスペーサ片からなり、着脱自在に取り付けることができる。
【０００５】
次に、こうしたオールケーシング工法に使用する機器を利用して既設杭１を回収する方法を図４に基づいて説明する。図４（イ）に示すように既設杭１が地中に残置している状態において、まず、ケーシング４のうちの先端のケーシングを既設杭１の外周の周辺に位置させるようにしてメインバンド６で把持し、メインバンド６をオールケーシング掘削機の駆動装置で回転駆動しがら下方向に駆動する。そうすると、先端のケーシングは、掘削力が付与されて既設杭１の外周の周辺を環状に掘削しながら地中に押し込まれるようにして下降する。こうして先端のケーシングを地中に建て込んだら、この先端のケーシングに継ぎケーシングを順次継ぎ足して、同様の方法で継ぎケーシングを適当数建て込み、ケーシング４を図４（ロ）に示すように既設杭１の長さ分ほど建て込む。その結果、既設杭１の周面を周辺地山と縁切りすることができる。しかる後、この縁切りした既設杭１を、図４（ロ）に示すようにハンマーグラブ１１で把持して引き上げると、既設杭１は、地盤と切り離されて根切りされれた後、そのまま地上に搬出されることとなり、効率良く回収することができた。
【０００６】
しかしながら、こうした従来のオールケーシング工法の既設杭回収方法は、図４に示すような小さな外径ΦＤ１  で短い長さＬ１  の既設杭１については実施することが可能であるが、既設杭の外径が大きかったり、又は既設杭の長さが長かったりする場合には、実施することが不可能になる。すなわち、外径が大きいかったり長さが長かったりする既設杭は、それだけ重量が大きくなるが、ハンマーグラブ１１を引き上げるためのクレーンの容量は、それほど大きくなくないため、既設杭の外径や長さが一定の限度を超えると、杭全体をハンマーグラブ１１で一度に引き上げることができなくなる。また、鉄筋コンクリート製の既設杭には、その外周部近くに縦方向の鉄筋が埋設されているが、ハンマーグラブ１１によってはこうした鉄筋を切断することができないため、既設杭を適当な長さに分割して地上に搬出することも不可能である。
【０００７】
こうしたことから、オールケーシング工法を利用して既設杭を回収する場合、従来は、先端のケーシングで既設杭外周の周辺を少しずつ掘削してケーシングを建て込んでは、ケーシング内の既設杭のコンクリート部をチゼル等のブレーカで破砕するとともに、ケーシング内に作業員が入って鉄筋をガス切断等で細かく溶断しながら既設杭を小割にして、ハンマーグラブ１１で地上に搬出していた。また、別の方法として、ケーシング内に全断面掘削用のドリルを配置し、このドリルでケーシング内の既設杭の全断面を掘削して砕いてから地上に搬出する方法が一部で試みられていた。
【０００８】
【発明が解決しようとする課題】
しかしながら、前者の方法は、外径や長さの著大な配筋量の多い既設杭の鉄筋を手作業により切断すること自体能率的でないことに加えて、地上への搬出上敢えて砕く必要のない既設杭を丸ごと破砕しなければならず、この作業に多大の時間を要して非効率的であった。また、後者の方法は、硬くて掘削しづらいコンクリート製の既設杭を全断面掘削による方法で丸ごと砕かなければならず、前者の方法と同様、非効率的であることに加え、既設杭内の縦方向の鉄筋を切断することが困難であった。すなわち、全断面掘削用のドリルは、カッタを回転させて水平面を切削しながら垂直方向に掘り進めるものであるため、その機構上、垂直方向に長い既設杭内の縦筋を切断するには不適なものである。そのため、こうした装置で既設杭を掘削した場合、垂直方向に長い既設杭内の縦筋は、切断するというよりは、むしろ、長手方向に向けて切削されてゆくこととなって切削しづらいばかりか、切削を行う過程でドリルに絡んだりすることがあり、後者の方法も非効率的であった。これまでは、以上のような方法により、鉄筋が埋設された既設杭を回収、撤去していたため、杭径が大きく鉄筋量が多い既設杭や長さが長くて縦筋も長い既設杭を回収しようとする場合、その回収作業は、多大の時間を要して難作業となっていた。
【０００９】
以上、地中の既設構造物の典型である既設杭を例に採り、従来の技術にみられる諸問題を述べたが、従来行われていた鋼管杭や地下連続壁の回収方法についても言及すると、まず、鋼管杭を回収する場合には、鋼管杭を囲むようにケーシングを建て込んだ後、ケーシング内に作業員が入って、鋼管杭を搬出可能な長さにガス切断等で溶断して搬出し、こうした作業を繰返し行うことにより回収していた。また、地下連続壁を回収する場合には、地下連続壁に埋設されているＨ型鋼等の型鋼を囲むようにケーシングを建て込んだ後、すでに述べた鉄筋コンクリート製の既設杭を回収する場合と同様、ケーシング内に作業員が入って地下連続壁内に埋設されているＨ型鋼等の型鋼を細かく溶断しながら既設杭を小割にして、ハンマーグラブで地上に搬出していた。このように、鉄を構造材に使用した長いか又は大重量の地中の既設構造物にあっては、鉄筋コンクリート製の既設杭に限らず、その回収作業に多大の時間を要して困難が伴った。
【００１０】
本発明は、こうした従来の技術にみられる問題を解消しようとするものであって、その技術課題は、鉄を構造材に使用した長いか又は大重量の地中の既設構造物であっても、長尺の状態で地上に搬出できて効率的に回収することができるオールケーシング工法の既設構造物回収方法及び既設構造物回収装置を提供することにある。
【００１１】
【課題を解決するための手段】
本発明のこうした技術課題を達成するため、オールケーシング工法の既設構造物回収方法に関するこの出願の第１番目の発明は、次の１）の技術手段を採用し、既設構造物回収装置に関するこの出願の第２番目の発明は、次の２）の技術手段を採用した。
１）  掘削用の先端のケーシングを含むケーシングを把持することができる上下方向に駆動可能で回転駆動可能な第１のケーシング把持手段とこの第１のケーシング把持手段で把持したケーシングを把持することができる第２のケーシング把持手段とを備えたオールケーシング掘削機によりケーシングを順次建て込むオールケーシング工法を利用して、鉄を構造材に使用した既設構造物を回収する場合、ケーシングを第１のケーシング把持手段で把持して回転させながら下降させることにより既設構造物における鉄の構造材の周りを先端のケーシングで環状に掘削して順次ケーシングを建て込む第１の工程と、第１の工程終了後に最上方のケーシングを撤去して既設構造物を第１のケーシング把持手段で把持し、この第１のケーシング把持手段を駆動して既設構造物を根切りする第２の工程と、この根切りした既設構造物を第１のケーシング把持手段で把持して上昇させる動作を第２のケーシング把持手段と協働して繰り返すことによりその既設構造物を所定長さ引き上げる第３の工程と、この引き上げた既設構造物の地上側の部分を切断して分離する第４の工程と、この分離した既設構造物の地上側の部分をクレーンで吊り上げて搬出する第５の工程とを経て既設構造物を回収するようにした。
２）  前記１）のオールケーシング工法の既設構造物回収方法の実施に使用され、掘削用の先端のケーシングを含む複数のケーシングとその先端のケーシングに掘削力を付与するオールケーシング掘削機とをセットにして構成されるオールケーシング工法の既設構造物回収装置を構成する場合、ケーシングを把持することができる上下方向に駆動可能で回転駆動可能な第１のケーシング把持手段とこの第１のケーシング把持手段で把持したケーシングを把持することができる第２のケーシング把持手段とを設けてオールケーシング掘削機を構成するとともに、第１のケーシング把持手段に着脱可能に取り付けることができ第１のケーシング把持手段に取り付けて作動させることにより既設構造物を把持することができる第１の既設構造物把持手段と第２のケーシング把持手段に着脱可能に取り付けることができ第２のケーシング把持手段に取り付けて作動させることにより既設構造物を把持することができる第２の既設構造物把持手段とをアタッチメントととして付設して構成した。
【００１２】
第１のケーシング把持手段と第２のケーシング把持手段とを備えたオールケーシング掘削機は、引上げ能力をクレーンに比べて格段に大きくすることができるが、オールケーシング工法の既設構造物回収方法に関するこの出願の第１番目の発明は、前記１）の技術手段を採用していて、こうしたオールケーシング掘削機を利用するようにしているので、このオールケーシング掘削機を用いて、第１の工程で既設構造物を周辺部と縁切りし、この縁切りした既設構造物を、第２の工程及び第３の工程で根切りてそのまま持ち上げることができる。しかも、こうした作業は、オールケーシング掘削機だけで達成することができ、ハンマーグラブのような他の装置を要しない。また、この引き上げた既設構造物の地上側の部分を、第４の工程で切断して分離するようにしているので、クレーンの引き上げ能力に見合った適宜の長さに切断することにより、既設構造物を小割することなく長尺の状態でクレーンで吊り上げ搬送して、効率的に回収することができる。  オールケーシング工法の既設構造物回収装置に関するこの出願の第２番目の発明は、こうした既設構造物の回収方法そのものを実施するのに直接的に使用する装置の発明であるので、当然、前記したのと同様の作用効果を奏することができる。
【００１３】
【発明の実施の形態】
以下、この出願のオールケーシング工法の既設構造物回収方法に関する発明及びオールケーシング工法の既設構造物回収装置に関する発明が実際上どのように具体化されるのかを示す具体化例を図１乃至図３に基づいて説明することにより、この出願の各発明の実施の形態を明らかにする。図１は、本発明の第１の具体化例に関するオールケーシング工法の既設構造物回収方法についての作業手順を示す作業手順図、図２は、本発明の具体化例に関するオールケーシング工法の既設構造物回収装置を構成するオールケーシング掘削機の内部の正面図、図３は、本発明の第２の具体化例に関するオールケーシング工法の既設構造物回収方法についての作業手順を示す作業手順図である。これら図１乃至図３において図４と同一符号を付けた部分は、同図と同等の部分を表すので、説明の重複を避けるため詳述しない。以下、本具体化例の技術内容を説明するに当たっては、鉄を構造材として使用した既設構造物の代表例である鉄筋コンクリート製の既設杭を回収する場合を例にしてその技術内容を説明する。
【００１４】
まず、図１に基づき、本発明の第１の具体化例に関するオールケーシング工法の既設構造物回収方法について説明すると、１０１は既設杭１よりも大きな外径ΦＤ２  （＞ΦＤ１  ）で長い長さＬ２  （＞Ｌ１  ）の既設杭、１０２はこの既設杭１０１に埋設された鉄筋１と同様の鉄筋、１０４は既設杭１０１の外径に適合するケーシング４と同様のケーシングである。３は第１のケーシング把持手段としてのメインバンド６で把持した状態のケーシング１０４を把持することができる第２のケーシング把持手段としてのサブバンド、５は両端部を無端状に連結して超硬岩や鉄筋のような硬いものを切断し得るダイヤモンドワイヤソーの切断用ワイヤ、１２はこの切断用ワイヤ５を駆動するワイヤ駆動装置等を自走車体上に設置したダイヤモンドワイヤソーの切断装置である。
【００１５】
サブバンド３は、メインバンド６と同様、複数のバンド部材とシリンダとを有し複数のバンド部材をシリンダの駆動によりケーシングに押し当ててケーシングを把持することができるようなっているが、本具体化例では、具体的構造がメインバンド６と異なるので、その詳細は、後に、オールケーシング掘削機の構造を説明する際に述べる。切断用ワイヤ５は、鋼線等の金属ワイヤに人工ダイヤの粒状物を所定間隔を置いて焼結して固着し形成されているため、超硬岩や鉄筋のような硬いものでも容易に切断することができる。ダイヤモンドワイヤソーは、こうした切断用ワイヤ５とワイヤ駆動装置等を自走車体上に設置した切断装置１２とで構成されているため、両端部を無端状に連結した切断用ワイヤ５をワイヤ駆動装置で循環移動させながら、図１（ニ）に示すように、自走車体を太線矢印方向に走行させて切断用ワイヤ５を細線矢印方向に牽引すると、既設杭１０１を引き切りして切断することができる。
【００１６】
７は既設杭１０１を引き上げるに際して上端部の鉄筋１０２に取り付けられる筒状体、８ａはメインバンド６に取り付けて作動させることにより既設杭１０１を把持することができる第１の既設構造物把持手段としてのメインバンド用の把持金具、８ｂはサブバンド３に取り付けて作動させることにより既設杭１０１を把持することができる第２の既設構造物把持手段としてのサブバンド用の把持金具、１１３ａはメインバンド６に取り付けてケーシング４より大径のケーシング１０４を的確に把持できるようにするためのメインバンド用のスペーサ、１１３ｂはサブバンド３に取り付けてケーシング４より大径のケーシング１０４を的確に把持できるようにするためのサブバンド用のスペーサである。
【００１７】
筒状体７は、サブバンド用の把持金具８ａを介してメインバンド６で把持できる外径を有するとともに、既設杭１０１の上端部の鉄筋１０２に取り付け可能なフランジを下端部に設けており、アタッチメントとして備え付けられる。メインバンド用の把持金具８ａ及びサブバンド用の把持金具８ｂは、それぞれ、メインバンド６及びサブバンド３に取り付けてその各シリンダを駆動することにより、既設杭１０１に押し当てて既設杭１０１を把持することのできるような構造になっている。すなわち、メインバンド６及びサブバンド３の複数のバンド部材の各内周部に取り付けられる複数の金具からなり、着脱自在に取り付けることができるようにしている。これらメインバンド用の把持金具８ａ及びサブバンド用の把持金具８ｂには、既設杭１０１を把持した際に既設杭１０１に食い込ませるための突起を内面に設けており、その突起を既設杭１０１のコンクリート部に食い込ませた状態でこれを把持金具８ａ，８ｂで把持することにより、その把持を確実に行うことができる。こうした突起は、既設杭１０１を回収する場合だけに限らず、セメント配合物内に型鋼が埋設された地下連続壁等他のコンクリート製の地中構造物を回収する場合にも設けることができ、特に、既設杭１０１の引き上げのために大きな把持力を要するメインバンド用の把持金具８ａに設ければ、きわめて有効である。
【００１８】
本具体化例では、こうした突起に加え、既設杭１０１がサブバンド３に対して上昇したりメインバンド６が既設杭１０１に対して下降したりする等の既設杭１０１との間の上下方向の相対的な運動により、既設杭１０１に付着した泥を掻き落すことができる弾性変形可能な掻き落しプレートが把持金具８ａ，８ｂに設けられている。こうした掻き落しプレートを設けたことにより、既設杭１０１に泥が付着している場合でも、その泥が掻き落しプレートで自動的に掻き落されて、メインバンド６及びサブバンド３で把持された既設杭１０１が付着した泥により滑動するのを防ぐことができる。こうしたメインバンド用の把持金具８ａ及びサブバンド用の把持金具８ｂは、オールケーシング掘削機にアタッチメントとして付設される。メインバンド用のスペーサ１１３ａ及びサブバンド用のスペーサ１１３ｂは、ケーシング４よりも大径のケーシング１０４を把持するため、スペーサ１３ａ，１３ｂよりも厚みを薄く形成している。
【００１９】
次に、図２に基づいてオールケーシング掘削機の構造を説明する。本発明の具体化例の既設構造物回収装置を構成するオールケーシング掘削機２１は、すでに述べたメインバンド６やサブバンド３のほか、メインバンド６を上下方向に駆動するスラストシリンダ２３と、このスラストシリンダ２３のピストンロッドに取り付けられ、ベースフレーム２２上の４本のガイドポスト２７に沿って上昇下降できるように支持、案内されている昇降フレーム２４と、メインバンド６を回転駆動する旋回モータ２５とを備えている。サブバンド３は、隣接端部を回動可能に枢着して連結した一対のバンド部材３ａを図２の左右にそれぞれ配置して構成され、これらのバンド部材３ａの非連結側の四つの端部のうち、前側の二つの端部を、図２に示すように油圧駆動のシリンダ３ｂに回動可能に枢着してシリンダ３ｂで連結するとともに、後側の二つの端部も、図に表れていない後側のシリンダ３ｂにより同様の方法で連結している。したがって、前後の二つのシリンダ３ｂを縮めるように駆動すると、既設杭１０１やケーシング１０４に押し当てられ、これらを把持することができる。また、メインバンド６は、一つの固定バンド部材とこの固定バンド部材に隣接端部を回動可能に枢着して連結した二つの可動バンド部材６ａをそれぞれ後方と左右に配置して構成され、左右の可動バンド部材６ａの非連結側の前側の両端部を、図２に示すように油圧駆動のシリンダ６ｂに回動可能に枢着してシリンダ６ｂで連結している。したがって、シリンダ６ｂを縮めるように駆動すると、固定バンド部材を中心にして二つの可動バンド部材６ａが締め付けられて既設杭１０１やケーシング１０４に押し当てられ、これらを把持することができる。
【００２０】
サブバンド３は、後方に配置した固定バンド部材３ａをベースフレーム２２に固定して設置されている。メインバンド６は、図示していないベアリングを介してメインバンド設置用のフレーム２６に回転可能に設置されている。スラストシリンダ２３は、ベースフレーム２２に立設され、その伸縮により昇降フレーム２４を上昇、下降させる。旋回モータ２５は、その回転をメインバンド６に伝達し得るように昇降フレーム２４に取り付けられ、昇降フレーム２４に随伴して上昇、下降する。昇降フレーム２４の上部には、図示していないベアリングを介してメインバンド設置用のフレーム２６が設置され、昇降フレーム２４に随伴して上昇、下降する。したがって、スラストシリンダ２３を駆動すると、メインバンド６を昇降フレーム２４を介して上下方向に駆動することができるとともに、旋回モータ２５を駆動すると、メインバンド６を回転駆動することができる。ここで留意すべきことは、こうしたメインバンド６及びサブバンド３を備えたオールケーシング掘削機２１は、クレーンとは異なり、その引き上げ能力を格段に大きくすることができるため、外径が大きく長さが長い既設杭１０１を後に詳述する方法でそのまま引き上げることができる。
【００２１】
オールケーシング掘削機２１は、こうした構造を備えているので、次に示す方法でケーシング１０４を建て込むことができる。
１．スラストシリンダ２３を限界まで伸ばして昇降フレーム２４を上昇させてから、メインバンド６でケーシング１０４を把持する。
２．旋回モータ２５でメインバンド６を回転駆動して、ケーシング１０４を回転させる。
３．こうしてケーシング１０４をメインバンド６で把持し回転させた状態において、スラストシリンダ２３を縮めて昇降フレーム２４を下降させることによりケーシング１０４を下降させて、地中を先端のケーシングで掘削しながらケーシング１０４を建て込んで行く。
４．スラストシリンダ２３が限界まで縮むと、旋回モータ２４の駆動を停止してメインバンド６の回転を停止させ、メインバンド６によるケーシング１０４の把持を解除する。なお、このとき、地盤が軟らかくケーシング１０４が降下する恐れのある場合は、メインバンド６によるケーシング１０４の把持を解除する前にサブバンド３でケーシング１０４を把持する。
５．ケーシング１０４の把持を解除した状態において、再び、スラストシリンダ２３を限界まで伸ばして昇降フレーム２４を上昇させ、必要に応じて新たなケーシング１０４を継ぎ足しながらメインバンド６でケーシング１０４を再び把持する。
６．前記の２乃至５の工程を繰り返して、ケーシング１０４を既設杭１の長さ分ほど建て込む。
【００２２】
こうしたオールケーシング掘削機２１は、これまでは、専ら、すでに建て込まれたケーシング１０４を引き上げるために使用され、既設杭１０１を引き上げるためには使用されていなかったが、次に示す方法で既設杭１０１を引き上げることができる。
１．メインバンド用の把持金具８ａ及びサブバンド用の把持金具８ｂをメインバンド６及びサブバンド３に取り付けるとともに、スラストシリンダ２３を限界まで縮めて昇降フレーム２４を下降させ、メインバンド６で既設杭１０１を把持する。
２．メインバンド６を、スラストシリンダ２３を伸ばして上方向に駆動するか、又は旋回モータ２５で若干回転駆動して既設杭１０１を根切りした後、スラストシリンダ２３を伸ばして既設杭１０１を引き上げて行く。
３．スラストシリンダ２３を限界まで伸ばしたらその伸長を停止するとともに、サブバンド３により既設杭１０１を把持して落下させないように支持し、しかる後、メインバンド６による既設杭１０１の把持を解除する。
４．既設杭１０１の把持を解除した状態において、再び、スラストシリンダ２３を限界まで縮めて昇降フレーム２４を下降させるとともにメインバンド６で既設杭１０１を把持し、しかる後、サブバンド３による既設杭１０１の把持を解除する。
５．前記の２乃至４の工程を繰り返して、既設杭１０１をサブバンド３と協働しながらメインバンド６で所望の長さ引き上げる。
【００２３】
以上、第１の具体化例の既設構造物回収方法の実施に使用する装置について述べたが、次に、その既設構造物回収方法についての作業手順を図１を用いて説明する。図１（イ）に示すように既設杭１０１が地中に残置している状態において、まず、ケーシング１０４のうちの先端のケーシングを既設杭１０１の外周の周辺に位置させてメインバンド６で把持した後、すでに詳述した方法でケーシング１０４を建て込んで行き、ケーシング１０４を図１（ロ）に示すように既設杭１０１の長さ分ほど建て込む。その場合、先端のケーシングは、既設杭１０１のコンクリート部を切削できる能力をもっているので、鉄筋１０２の外側の既設杭１０１のコンクリート部そのものを掘削するようにしてもよく、要は、既設杭１０１における縦筋としての鉄筋１０２の周りを先端のケーシングで環状に掘削してケーシング１０４を建て込むようにすればよい。なお、先端のケーシングは、横方向の鉄筋についても、切削速度は低下するが切削する能力はもっているので、鉄筋１０２の外側のコンクリート部を先端のケーシングで掘削する過程でこうした横方向の鉄筋に遭遇したとしても、ケーシング１０４の建て込みを支障なく行うことができる。
【００２４】
こうして既設杭１０１を周辺部と縁切りした後、図１（ハ）に示すように、最上方のケーシング１０４だけを撤去して、その下方のケーシング１０４は保護壁として残しておくとともに、筒状体７のフランジを鉄筋１０２に溶接等で接合して既設杭１０１の上端部に筒状体７を取り付ける。こうした筒状体７を既設杭１０１に取り付けることにより、既設杭１０１を把持して引き上げる作業を、オールケーシング掘削機２１の通常の設置態様で容易に行うことができる。なお、この筒状体７は、メインバンド６で既設杭１０１を容易に把持できるようにするため設けたものであるから、既設杭１０１の上端部の周辺領域を掘り下げることにより、オールケーシング掘削機２１を地平面より低い位置に設置できるようにして既設杭１０１の上端部をメインバンド６で把持できるようにしてもよい。
【００２５】
次いで、すでに詳述した方法により、メインバンド６を上方向に駆動するか回転駆動するかの何れかの駆動方式でメインバンド６を駆動して既設杭１０１を根切りした後、既設杭１０１をメインバンド６で把持して上昇させる動作を、サブバンド３と協働して繰り返すことにより、図１（ニ）に示すように、根切りした既設杭１０１をそのまま引き上げることができる。こうした既設杭１０１の引き上げ作業は、オールケーシング掘削機２１だけで達成することができ、従来の方法とは異なり、ハンマーグラブ１１のような他の装置を要しない。この既設杭１０１の引き上げ作業をする過程でメインバンド６やサブバンド３で既設杭１０１を把持するが、本具体化例では、これらのバンド３，６に掻き落しプレートを設けているため、既設杭１０１に付着した泥がその作業過程で自動的に掻き落されて、メインバンド６やサブバンド３で把持された既設杭１０１が泥により滑動するのを防ぐことができる。なお、掻き落しプレートを設ける代わりに、既設杭１０１に付着した泥をハイウォッシャで洗い落すようにしてもよい。メインバンド６やサブバンド３には、こうした掻き落しプレートに加えて、既設杭１０１に食い込ませるための突起を設けているため、既設杭１０１をこれらのバンド３，６で確実に把持することができる。
【００２６】
既設杭１０１を所望の長さ引き上げた後は、図１（ニ）に示すように、この引き上げた既設杭１０１の地上側の部分をダイヤモンドワイヤソーの切断用ワイヤ５で切断して分離する。その場合、ダイヤモンドワイヤソーに代えて、アブレシブジェットで切断するようにしてもよい。このアブレシブジェットは、珪砂、ガーネット、鉄球等の硬質微粒子を混入した高圧ジェットにより硬質物を切断するようにした装置である。既設杭１０１をこれらの装置で切断することにより、鉄筋１０２が埋設された既設杭１０１の切断作業を、既設杭１０１をメインバンド６やサブバンド３で把持したままの状態で簡便に行うことができる。本具体化例では、こうして既設杭１０１の地上側の部分を切断するようにしているので、図１（ホ）に示すように、クレーンの引き上げ能力に見合った適宜の長さに切断することにより、既設杭１０１を小割することなく長尺の状態でクレーンで吊り上げ搬送して、効率的に回収することができる。
【００２７】
図３に基づき、本発明の第２の具体化例に関するオールケーシング工法の既設構造物回収方法について説明すると、２０１は既設杭１０１よりも大きな外径ΦＤ３  （＞ΦＤ２  ）で長い長さＬ３  （＞Ｌ２  ）の既設杭、２０２はこの既設杭２０１に埋設された鉄筋１と同様の鉄筋、２０４は既設杭２０１の外径に適合するケーシング４と同様のケーシング、１０７は既設杭２０１の外径に適合する筒状体７と同様の筒状体、１０８ａ，１０８ｂはそれぞれ既設杭２０１の外径に適合するメインバンド用の把持金具８ａ、サブバンド用の把持金具８ｂと同様のメインバンド用の把持金具、サブバンド用の把持金具である。なお、既設杭２０１は、外径がきわめて大きいため、第１の具体化例で設けたスペーサ１１３ａ，１１３ｂのようなものは設けていない。第２の具体化例の既設構造物回収方法は、第１の具体化例よりも更に外径が大きく長さの長い既設杭２０１を回収する場合の例であり、こうした場合には、既設杭２０１の重量の増加やケーシング２０４とその周辺部との間の摩擦抵抗の増加により、スラストシリンダ２３の容量が足りなくなったり、掘削トルクが不足したりすることがある。
【００２８】
こうした事態に対応するため、本具体化例では、既設杭２０１を所定長さ引き上げる前に、図３（ロ）に示すように、既設杭の引き上げに要する力を低減することができるベントナイト等の泥水９をケーシング２０４内に注入するようにしている。こうした工程を付加することにより、泥水９の浮力が既設杭２０１に作用してオールケーシング掘削機２１のスラストシリンダ２３での既設杭２０１の引き上げに要する力を低減することができる。そのため、泥水９の比重を適切に調整することにより、オールケーシング掘削機２１におけるスラストシリンダ２３の容量が不足気味の場合でも、その容量の範囲内で既設杭２０１の引き上げ作業を達成することができる。図３の（イ）乃至（ホ）に示す本具体化例の作業手順は、泥水９を注入する図３（ロ）に示す作業手順を除いて、図１の（イ）乃至（ホ）に示す第１具体化例の作業手順と基本的に変わらない。
【００２９】
図示はしていないが、本具体化例では、前記の事態に対応するため、掘削用の先端のケーシングに、掘削外径をケーシング２０４の外径よりも大径にするようにオーバカットするための掘削ビットと、掘削内径をケーシング２０４の内径よりも小径にするようにオーバカットするための掘削ビットとを設けている。さらに、先端のケーシングに、ケーシング２０４の周面とその周辺部との間の摩擦抵抗を低減できる滑材を注入するための注入パイプを設けている。すなわち、滑材注入用の注入パイプを先端のケーシング内周面に沿って下方に導いた後、先端のケーシングを貫通させてその外周側に導くようにしている。滑材をこうした注入パイプを通じて先端のケーシングの外周側に注入すると、先端のケーシングの底部を通じてその内周側にも導入され、ケーシング２０４とその内外周の周辺部との間の摩擦係数を減少させることができる。本具体化例では、以上の述べたようなオーバカットするための掘削ビットや注入パイプを設けているため、ケーシング２０４の周面とその周辺部との間の摩擦抵抗や先端のケーシングの掘削抵抗を低減することができて、ケーシング２０４を建て込む際の掘削トルクを減少させることができる。
【００３０】
さらにまた、掘削用の先端のケーシングには、その掘削ビット１０で掘削した掘削土砂を吸引して排出するための排土パイプを、吸引口が掘削ビット１０の近傍に開口するように設けている。こうした排土パイプを設けることにより、掘削土砂が先端のケーシングの多数の掘削ビット１０間の間隙に圧密された状態で詰まって先端のケーシングの掘削抵抗を増加させたり、掘削土砂がケーシング２０４の側部周辺に流入して詰まることにより、ケーシング２０４の周面とその周辺部との間の摩擦抵抗を増加させたりするのを防ぐことができて、ケーシング２０４を建て込む際の掘削トルクが掘削土砂により増加するのを防ぐことができる。この第２の具体化例では、以上のような種々の技術手段を施しているので、これらの技術手段を適宜選択して採用することにより、第１の具体化例よりも外径が大きく長さの長い既設杭２０１を回収する場合でも、スラストシリンダ２３の容量が足りなくなったり掘削トルクが不足したりする事態を防ぐことができる。
【００３１】
以上、鉄筋コンクリート製の既設杭を回収する場合を例にして既設構造物の回収技術を説明したが、その技術内容は、型鋼が埋設された地下連続壁や鋼管杭のような鉄を構造材に使用した他の既設構造物を回収する場合にも適用することができる。その場合においてケーシングを建て込むとき、型鋼が埋設された地下連続壁については、その型鋼の周りを囲むように先端のケーシングで地下連続壁のコンクリート部や地山を環状に掘削してケーシングを建て込み、鋼管杭については、鋼管杭の周りを囲むように先端のケーシングで地山を環状に掘削してケーシングを建て込めばよく、要は、既設構造物における鉄の構造材の周りを先端のケーシングで環状に掘削してケーシングを建て込むようにすればよい。また、型鋼が埋設された地下連続壁や鋼管杭に筒状体を連結するときには、地下連続壁についてはその型鋼の上端部に筒状体の取付部を取り付け、鋼管杭についてはその鋼管杭の上端部外周面に筒状体の取付部を取り付ければよく、要は、筒状体の取付部を既設構造物の上端部に取り付けることにより連結するようにすればよい。以上述べた各具体化例では、第１のケーシング把持手段及び第２のケーシング把持手段として、複数のバンド部材とシリンダとを有し複数のバンド部材をシリンダの駆動によりケーシングに押し当ててケーシングを把持できるメインバンド及びサブバンドを示したが、こうしたケーシング把持手段としは、円錐状のテーパ面が形成されたケーシング挿通孔を設けたケーシング挿通部と、このケーシング挿通孔に挿通されたケーシングとケーシング挿通孔との間に嵌挿される複数の楔状の部材とで構成され、これらの楔状の部材をテーパ面に沿わせながら押し込むことによりケーシングをチャッキングできるようにした把持手段も従来知られているので、第１のケーシング把持手段及び第２のケーシング把持手段の少なくとも一方に、こうしたチャッキングによる把持手段を用いてもよく、要は、ケーシングを把持できる手段であれば、その種類は問わない。
【００３２】
【発明の効果】
以上の説明から明らかなように、オールケーシング工法の既設構造物回収方法に関するこの出願の第１番目の発明及びオールケーシング工法の既設構造物回収装置に関するこの出願の第２番目の発明は、それぞれ、課題を解決する手段の項の１）及び２）に示した技術手段を採用しているので、これらの各発明によれば、それぞれ、鉄を構造材に使用した長いか又は大重量の既設構造物であっても、長尺の状態で地上に搬出できて効率的に回収することができるオールケーシング工法の既設構造物回収方法及び既設構造物回収装置が得られる。
この出願の第１番目の発明を具体化する場合、特に、特許請求範囲の請求項３に記載の技術手段を採用すれば、ケーシング周面とその周辺部との間の摩擦抵抗や先端のケーシングの掘削抵抗を低減することができて、ケーシングを建て込む際の掘削トルクを減少させることができる。この出願の第１番目の発明を具体化する場合、特に、特許請求範囲の請求項４に記載の技術手段を採用すれば、既設構造物を把持して引き上げる作業を、オールケーシング掘削機の通常の設置態様で容易に行うことができる。この出願の第１番目の発明を具体化する場合、特に、特許請求範囲の請求項５に記載の技術手段を採用すれば、オールケーシング掘削機での既設構造物の引き上げに要する力を低減することができる。その結果、オールケーシング掘削機における既設構造物の引き上げ能力が不足気味の場合でも、その能力の範囲内で既設構造物の引き上げ作業を達成することができる。この出願の第１番目の発明を具体化する場合、特に、特許請求範囲の請求項６又は請求項７に記載の技術手段を採用すれば、鉄筋が埋設された既設構造物の切断作業を、既設構造物をケーシング把持手段で把持したままの状態で簡便に行うことができる。
この出願の第２番目の発明を具体化する場合、特に、特許請求範囲の請求項８又は請求項９に記載の技術手段を採用すれば、ケーシング周面とその周辺部との間の摩擦抵抗や先端のケーシングの掘削抵抗を低減することができて、ケーシングを建て込む際の掘削トルクを減少させることができる。この出願の第２番目の発明を具体化する場合、特に、特許請求範囲の請求項１０に記載の技術手段を採用すれば、掘削土砂が先端のケーシングの掘削部に圧密された状態で詰まって先端のケーシングの掘削抵抗を増加させたり、掘削土砂がケーシングの側部周辺に流入して詰まることにより、ケーシング周面とその周辺部との間の摩擦抵抗を増加させたりするのを防ぐことができて、ケーシングを建て込む際の掘削トルクが掘削土砂により増加するのを防ぐことができる。この出願の第２番目の発明を具体化する場合、特に、特許請求範囲の請求項１１に記載の技術手段を採用すれば、請求項４に記載の技術手段を採用した場合と同様、既設構造物を把持して引き上げる作業を、オールケーシング掘削機の通常の設置態様で容易に行うことができる。この出願の第２番目の発明を具体化する場合、特に、特許請求範囲の請求項１３に記載の技術手段を採用すれば、鉄を構造材に使用したコンクリート製の地中構造物に既設構造物把持手段に設けた突起を食い込ませた状態において地中構造物を同把持手段で確実に把持することができる。この出願の第２番目の発明を具体化する場合、特に、特許請求範囲の請求項１４に記載の技術手段を採用すれば、既設構造物に泥が付着している場合でも泥除去手段で自動的に除去されて、既設構造物把持手段で把持された既設構造物が付着した泥により滑動するのを防ぐことができる。
【図面の簡単な説明】
【図１】本発明の第１の具体化例に関するオールケーシング工法の既設構造物回収方法についての作業手順を示す作業手順図である。
【図２】本発明の具体化例に関するオールケーシング工法の既設構造物回収装置を構成するオールケーシング掘削機の内部の正面図である。
【図３】本発明の第２の具体化例に関するオールケーシング工法の既設構造物回収方法についての作業手順を示す作業手順図である。
【図４】従来のオールケーシング工法の既設杭回収方法についての作業手順を示す作業手順図である。
【符号の説明】
３    サブバンド
３ａ  サブバンドのバンド部材
３ｂ  サブバンドシリンダ
４    先端ケーシング
５    ダイヤモンドワイヤソーの切断用ワイヤ
６    メインバンド
６ａ  メインバンドのバンド部材
６ｂ  メインバンドシリンダ
７，１０７  筒状体
８ａ，１０８ａ  メインバンド用の把持金具
８ｂ，１０８ｂ  サブバンド用の把持金具
９    泥水
１０    掘削ビット
１２    ダイヤモンドワイヤソーの切断装置
２１    オールケーシング掘削機
２２    ベースフレーム
２３    スラストシリンダ
２４    昇降フレーム
２５    旋回モータ
２６    サブバンド支持フレーム
２７    ガイドポスト
１０１，２０１  既設杭
１０２，２０２  鉄筋
１０４，２０４  ケーシング
【図１】
0003594758.tif 000002
【図２】
0003594758.tif 000003
【図３】
0003594758.tif 000004
【図４】
0003594758.tif 000005